【手続補正書】
【提出日】平成18年2月1日(2006.2.1)
【手続補正１】
【補正対象書類名】明細書
【補正対象項目名】特許請求の範囲
【補正方法】変更
【補正の内容】
【特許請求の範囲】
【請求項1】
放送番組を送信する放送送信装置において、放送番組を構成する素材を映像信号、音声信号、画像データ、テキストデータのうち少なくとも１つから構成されるAVデータとして蓄積して管理するAVデータ蓄積管理手段と、放送受信装置に前記AVデータを蓄積する場合の処理制御方法を示す蓄積制御情報と、蓄積するAVデータの管理情報を示す蓄積管理情報とを作成し、リファレンス情報として登録するリファレンス情報作成手段とを備えることを特徴とする放送送信装置。
【請求項2】
前記蓄積制御情報が、コード情報により発生する蓄積制御コマンドであることを特徴とする請求項1記載の放送送信装置。
【請求項3】
前記蓄積制御情報が、信号情報により発生する蓄積制御コマンドであることを特徴とする請求項1記載の放送送信装置。
【請求項4】
前記蓄積制御情報が、蓄積の開始と終了とを規定する蓄積制御コマンドであることを特徴とする請求項1記載の放送送信装置。
【請求項5】
前記蓄積制御情報が、蓄積の準備を規定する蓄積制御コマンドであることを特徴とする請求項1記載の放送送信装置。
【請求項6】
前記AVデータと前記蓄積制御情報と前記蓄積管理情報を受信する放送受信装置であって、放送番組を受信し、前記AVデータと前記蓄積制御情報と前記蓄積管理情報とを分離抽出する受信手段と、前記AVデータを内部バッファに取り込んで復号するAVデコーダ手段と、蓄積管理情報とともに蓄積、管理するAVデータ蓄積管理手段とを備えることを特徴とする放送受信装置。
【請求項7】
前記蓄積制御コマンドが、前記AVデータの蓄積の可能性を判断することを特徴とする請求項6記載の放送受信装置。
【請求項8】
前記蓄積制御コマンドが、前記AVデータ蓄積管理手段の蓄積可能な容量を確認することを特徴とする請求項6記載の放送受信装置。
【請求項9】
前記蓄積制御コマンドが、前記AVデータ蓄積管理手段に既に蓄積されているか確認することを特徴とする請求項6記載の放送受信装置。
【請求項10】
前記蓄積制御コマンドが、前記AVデータの蓄積状態を問い合わせることを特徴とする請求項6記載の放送受信装置。
【請求項11】
前記蓄積制御コマンドが、チューニングを行うことを特徴とする請求項6記載の放送受信装置。
【請求項12】
放送番組サービスを実行するサービスアプリケーションでの前記AVデータの利用方法を示すアプリケーション情報を蓄積管理するアプリケーション情報蓄積管理手段と、前記サービスアプリケーションを蓄積管理するサービスアプリケーション蓄積管理手段とを備え、前記受信手段が、放送送信装置から受信した前記アプリケーション情報とサービスアプリケーションとを分離抽出することを特徴とする請求項6記載の放送受信装置。
【請求項13】
前記アプリケーション情報に従って、前記AVデータ蓄積管理手段で蓄積管理されているAVデータから該当するデータを抽出するアプリケーション情報処理手段を備えることを特徴とする請求項12記載の放送受信装置。
【請求項14】
前記アプリケーション情報処理手段が、前記アプリケーション情報に従って、前記サービスアプリケーションを実行することを特徴とする請求項13記載の放送受信装置。
【請求項15】
前記アプリケーション情報処理手段が、前記アプリケーション情報に従って、前記サービスアプリケーションを実行して、前記AVデータ蓄積管理手段で蓄積管理されているAVデータから該当するデータを削除することを特徴とする請求項14記載の放送受信装置。
【請求項16】
前記アプリケーション情報処理手段が、前記AVデータの蓄積管理情報に前記サービスアプリケーションの利用情報を登録することを特徴とする請求項14記載の放送受信装置。
【請求項17】
前記アプリケーション情報処理手段が、前記サービスアプリケーションの利用情報に従って、前記サービスアプリケーションを実行することを特徴とする請求項16記載の放送受信装置。
【請求項18】
前記アプリケーション情報処理手段が、前記サービスアプリケーションの利用情報に従って、前記AVデータ蓄積管理手段で蓄積管理されているAVデータから該当するデータを削除することを特徴とする請求項17記載の放送受信装置。
【手続補正２】
【補正対象書類名】明細書
【補正対象項目名】００３０
【補正方法】変更
【補正の内容】
【００３０】
【発明の実施の形態】
以下、本発明の実施の形態について図面を用いて説明する。
【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】削除
【補正の内容】
【手続補正１４】
【補正対象書類名】明細書
【補正対象項目名】００４２
【補正方法】削除
【補正の内容】
【手続補正１５】
【補正対象書類名】明細書
【補正対象項目名】００４３
【補正方法】削除
【補正の内容】
【手続補正１６】
【補正対象書類名】明細書
【補正対象項目名】００４４
【補正方法】削除
【補正の内容】
【手続補正１７】
【補正対象書類名】明細書
【補正対象項目名】００４５
【補正方法】削除
【補正の内容】
【手続補正１８】
【補正対象書類名】明細書
【補正対象項目名】００４６
【補正方法】削除
【補正の内容】
【手続補正１９】
【補正対象書類名】明細書
【補正対象項目名】００４７
【補正方法】削除
【補正の内容】
【手続補正２０】
【補正対象書類名】明細書
【補正対象項目名】００４８
【補正方法】削除
【補正の内容】
【手続補正２１】
【補正対象書類名】明細書
【補正対象項目名】００４９
【補正方法】削除
【補正の内容】
【手続補正２２】
【補正対象書類名】明細書
【補正対象項目名】００５０
【補正方法】削除
【補正の内容】
【手続補正２３】
【補正対象書類名】明細書
【補正対象項目名】００５１
【補正方法】削除
【補正の内容】
【手続補正２４】
【補正対象書類名】明細書
【補正対象項目名】００５２
【補正方法】削除
【補正の内容】
【手続補正２５】
【補正対象書類名】明細書
【補正対象項目名】００５３
【補正方法】削除
【補正の内容】
【手続補正２６】
【補正対象書類名】明細書
【補正対象項目名】００５４
【補正方法】削除
【補正の内容】
【手続補正２７】
【補正対象書類名】明細書
【補正対象項目名】００５５
【補正方法】削除
【補正の内容】
【手続補正２８】
【補正対象書類名】明細書
【補正対象項目名】００５６
【補正方法】削除
【補正の内容】
【手続補正２９】
【補正対象書類名】明細書
【補正対象項目名】００５７
【補正方法】削除
【補正の内容】
【手続補正３０】
【補正対象書類名】明細書
【補正対象項目名】００５８
【補正方法】削除
【補正の内容】
【手続補正３１】
【補正対象書類名】明細書
【補正対象項目名】００５９
【補正方法】削除
【補正の内容】
【手続補正３２】
【補正対象書類名】明細書
【補正対象項目名】００６０
【補正方法】削除
【補正の内容】